(57)【特許請求の範囲】
【請求項１】
上部を開放状とし下部に分離砂掻揚装置を備えた本体槽と、上下を開放状とした筒状のケーシングであってその筒内には外枠内に多数枚の桟板を配列してなる主スクリーンを横断状をなして備えるとともに前記本体槽の上部内に位置するようにして振動受部で支持されて振動発生機にて加振されるようにされた分離ケーシングとを備えてなる沈砂し渣分離処理装置において、前記分離ケーシング内の主スクリーンより上側となる前段階には、外枠内に多数枚の桟板を配列したスクリーン体であって上方からし渣混じりの沈砂が投入される側を高くしその投入される側から離れる方向に低くされた傾斜状の分配用スクリーンを備えて、前記し渣混じりの沈砂を受け止めながら加振により傾斜方向下方へ向けて振動させながら幅をもって移動させることにより平面的に分配するように構成されているとともに、分配用スクリーンと主スクリーンの双方は、分離ケーシングが本体槽から分離して持ち上げられた状態でスクリーン上に残留するし渣を下向きに回転させながら落下処理可能なように回転自在に支持されていることを特徴とする沈砂し渣分離処理装置
【発明の詳細な説明】
【技術分野】
【０００１】  本発明は、沈砂し渣分離処理装置に関する。
【背景技術】
【０００２】  バキュームダンパーにより搬送されたし渣を伴う沈砂が投入され、その沈砂をし渣と分離して回収する沈砂し渣分離処理装置がある。この装置は、上部を開放し下部に沈砂掻揚のためのスクリュー式コンベアを連通して備える本体槽を備え、この本体槽の上部内に、上下開放状でその底部が振動受部（バネ）で支持された状態の分離槽を装備したもので、この分離槽内には、水平横断状のスクリーンを装備して付属の振動発生機によりこのスクリーンを振動させることで投入されるし渣混じりの沈砂から沈砂分のみを通過分離させる一方し渣分をスクリーン上に残して分離するように構成してある。こうした振動式スクリーンを分離手段の１つとして用いた関連技術として特許文献１がある。
【先行技術文献】
【特許文献】
【０００３】
【特許文献１】  特開平９−１９２６９８
【発明の概要】
【発明が解決しようとする課題】
【０００４】  ところで、上記沈砂し渣分離処理装置は、スクリーンを１段階のみ備えたものであったので、沈砂とし渣の分離が今一つ効率的になされず、特に、バキュームダンパーからの投入物がスクリーン上の特定個所に集中的に堆積する傾向となるため、１段階のみのスクリーンではその堆積状態を崩すまでに時間がかかり、振動を付与しても分離の効率化を図るのに一定の限界があった。【０００５】  本発明は、こうした従来の問題を解決するためになされたもので、バキュームダンパーからの投入状況に拘らず沈砂とし渣の分離が非常に効率的に行われるようにした沈砂し渣分離処理装置を提供することを目的とする。
【課題を解決するための手段】
【０００６】本発明は上記目的を達成するため、請求項１に記載の発明は、上部を開放状とし下部に分離砂掻揚装置を備えた本体槽と、上下を開放状とした筒状のケーシングであってその筒内には外枠内に多数枚の桟板を配列してなる主スクリーンを横断状をなして備えるとともに前記本体槽の上部内に位置するようにして振動受部で支持されて振動発生機にて加振されるようにされた分離ケーシングとを備えてなる沈砂し渣分離処理装置において、前記分離ケーシング内の主スクリーンより上側となる前段階には、外枠内に多数枚の桟板を配列したスクリーン体であって上方からし渣混じりの沈砂が投入される側を高くしその投入される側から離れる方向に低くされた傾斜状の分配用スクリーンを備えて、前記し渣混じりの沈砂を受け止めながら加振により傾斜方向下方へ向けて振動させながら幅をもって移動させることにより平面的に分配するように構成されているとともに、分配用スクリーンと主スクリーンの双方は、分離ケーシングが本体槽から分離して持ち上げられた状態でスクリーン上に残留するし渣を下向きに回転させながら落下処理可能なように回転自在に支持されていることを特徴とする。
【発明の効果】
【０００７】上述したように本発明は、上部を開放状とし下部に分離砂掻揚装置を備えた本体槽と、上下を開放状とした筒状のケーシングであってその筒内には外枠内に多数枚の桟板を配列してなる主スクリーンを横断状をなして備えるとともに前記本体槽の上部内に位置するようにして振動受部で支持されて振動発生機にて加振されるようにされた分離ケーシングとを備えてなる沈砂し渣分離処理装置において、前記分離ケーシング内の主スクリーンより上側となる前段階には、外枠内に多数枚の桟板を配列したスクリーン体であって上方からし渣混じりの沈砂が投入される側を高くしその投入される側から離れる方向に低くされた傾斜状の分配用スクリーンを備えて、前記し渣混じりの沈砂を受け止めながら加振により傾斜方向下方へ向けて振動させながら幅をもって移動させることにより平面的に分配するように構成されているとともに、分配用スクリーンと主スクリーンの双方は、分離ケーシングが本体槽から分離して持ち上げられた状態でスクリーン上に残留するし渣を下向きに回転させながら落下処理可能なように回転自在に支持されていることを特徴とするので、バキュームダンパーからの投入状況に拘らず沈砂とし渣の分離が非常に効率的に行われるようにした沈砂し渣分離処理装置を提供することができる。
【図面の簡単な説明】
【０００８】
【図１】  本発明の一実施形態を図２との関係において示す平面図。
【図２】  図１の縦断面図。
【図３】  図２のＩＩＩ−ＩＩＩ線断面図。
【図４】  図２の装置のし渣排除状態を示す断面図。
【図５】  他の実施形態を示す縦断面図。
【図６】  他の実施形態を示す縦断面図。
【発明を実施するための形態】
【０００９】  以下、本発明装置の一実施形態を図１ないし図４に基づいて説明する。
これらの図において、１は段差型設置躯体で、その高いところには図２のようにバキュームダンパー２がまた低いところには本発明装置である沈砂し渣分離処理装置Ａが固定設置されている。バキュームダンパー２は、車輪３付き車台４上にバキュームタンク５を備えて支点６を介して後方へダンピング可能なもので、ダンピング後にその尾端の蓋体７をシリンダで開放することで搬送してきた内部のし渣・水分混じりの沈砂を図２の矢印Ｂのように排出可能になっている。８はホース接続口部で、前記ダンピング以外に、この接続口部８に接続される導出ホース９を通じても沈砂を排出可能になっている。
【００１０】  沈砂し渣分離処理装置Ａは、架台１１で支持された本体槽１２を備える。本体槽１２は、上部が矩形体に形成されその上端が開放状とされている。本体槽１２の上部内には槽内架台１３が設けられてその上に振動受部１４が複数配備されている。本体槽１２の下部は斜角筒状をなす案内筒部１５として形成されており、その下部には分離砂掻揚装置１６が連通状をなして設けられている。この掻揚装置１６は、分離した砂分を掻き揚げて次の分離砂洗浄装置１７へ導入することにより、砂の洗浄を行うものであり、この洗浄方式には、例えば、本出願人が先に提案した特許第３３９６６８４号、３８１１８８７号、特願２００９−１８８１４４、特願２００９−２３０９８等に開示された技術が適用される。
【００１１】  ２０は分離ケーシングで、矩形（正方形など）筒状で上下を開放状としたもので、本体槽１２の上部内に前記振動受部１４にて支持されて設けられている。振動受部１４は、この分離ケーシング２０側あるいは槽内架台１３側に取付けられている。
【００１２】  分離ケーシング２０内の下部には主スクリーン２１が水平横断状に設けられ、この主スクリーン２１は、図３にも示すように前後一対に分かれたものでなり、その中間が回転支持手段２２でそれぞれ回転自在に支持されているとともに下ロック２３の抜き差しにより図２の水平な状態と図４の下向きに開かれた状態とが得られるようになっている。主スクリーン２１が、下向きに開かれるのは、主スクリーン２１上に残るし渣分をコンテナ２４に回収するためである。また、この主スクリーン２１の開放および戻しは、分離ケーシング２０上に突設したアイボルトである引っ掛け部２５に掛けられた吊り下げチェーン２６をホイスト（図示省略）にて吊り上げた状態でなされる。尚、主スクリーン２１は、外枠に多数枚の桟板を配列してなるもので、図３にも示すように、ダンパー２が前後進しそれを前後方向Ｃ⇔Ｄと仮定すると各桟板は左右に一定の間隔をおいて並ぶように配列されている。勿論、それに直交する方向に向けられてもよい。分離ケーシング２０の外部には、振動発生機（加振機）２８が設置されている。
【００１３】  こうした沈砂し渣分離処理装置Ａにおいて、分離ケーシング２０内の主スクリーン２１より上部である前段階には、分配用のスクリーン３０が設けられている。
この分配用スクリーン３０は、分離ケーシング２０の前後の側辺に設けられた回転支持手段３１を介して前後・左右に４分割式に支持され、特に、前側のものは、後方（Ｄ方向）に下がり傾斜状に、また後側のものは、前方（Ｃ方向）に下がり傾斜状をなして全体としてはＶ字谷状に設けられ、それら前後間には抜き差し自在な上ロック３２により受け止め固定されている。
【００１４】  図４のように分離ケーシング２０を吊り下げた状態で上ロック３２を抜けば支持が解けて仮想線のように垂直にぶら下がり、その結果、上に残されるし渣がコンテナ２４内に落下回収される。分配用スクリーン３０は、持ち上げられて上ロック３２で受け止めることで次の分離可能状態とされる。主スクリーン２１も同様に持ち上げられて下ロック２３で受け止めることにより分離可能状態になる。これら両スクリーン２１，３０が分離可能状態とされた分離ケーシング２０はホイストで図２のように元の本体槽１２内にマウントされて振動分離態勢とされる。
【００１５】  図３の状態でバキュームダンパー２が到着すると、振動発生機２８が駆動されて加振状態とされ、その状態で矢印Ｂのようにし渣・水混じりの沈砂が投入されると、まず分配用スクリーン３０がそれを受け止めることによって矢印Ｂの直下に落ちるのでなくＸのように沈砂を篩落としながら谷部→後方の分配用スクリーン３０へと分配してゆく。それにより、沈砂は分配を受けながら主スクリーン２１上に落としこまれるようになり、その結果、主スクリーン２１上では、短時間の振動篩を受けるだけでし渣と沈砂とが分離することになる。尚、図２に示すように分配用スクリーン３０上には放水手段３３を設けて投入されたし渣混じりの沈砂をさらに分配するようにしてもよい。
【００１６】  図５は他の実施形態を示し、この実施形態は、主スクリーン２１および分配用スクリーン３０のそれぞれが軽く回転されるよう回転支持手段２２，３１をスクリーンの略中間個所に設定してある。
【００１７】  図６の実施形態は、分配用スクリーン３０を前後に長く広いものにして矢印Ｙのように投入物を傾斜方向に流す間に篩にかけるようにするとともに回転操作しやすいように前後間の回転支持手段３１で支持してある。尚、主スクリーン２１は、回転時の分配用スクリーン３０と干渉しないように外開き式にしてある。
分配用スクリーン３０の桟は前後方向（Ｃ⇔Ｄ）に対し直交する方向にその長手方向を向けてあるが、前後方向に平行な方向にその長手方向を向けてもよい。
【００１８】  図７の実施形態は、分配用スクリーン３０をその中間位置で回転支持手段３１で支持してその軸回りに回転自在でロックも可能なようにするとともに、その傾斜下方端を分離ケーシング２０に対し落下連通路３５を空けて設置し、さらに、主スクリーン２１については、分配用スクリーン３０の回転を阻害しないように落下連通路３５側において回転支持手段２２で支持して傾斜配置し、下ロック２３で開閉自在にしたものである。矢印Ｂの投入物は、分配用スクリーン３０の傾斜に添って篩にかけられながら滑り落下し、そのあと矢印Ｚのように下の主スクリーン２１上に落下してそこでも篩にかけられ分離作用をする。
尚、分配用スクリーン３０は、図６のような方向に桟を設けてもよい。また、主スクリーン２１についても図６の分配用スクリーン３０のような方向に桟を設けてもよい。また、分配用スクリーン３０の傾斜方向端部には枠部のない自由端にしてし渣が下方に落下しやすいようになっているが、枠部を設けてもよい。
主スクリーン２１・分配用スクリーン３０は少なくとも一方をパンチングメタル状のものにしてもよい。
【符号の説明】
【００１９】  ２…バキュームダンパー  １２…本体槽  １４…振動受部  １６…分離砂掻揚装置  ２０…分離ケーシング  ２１…主スクリーン  ２２，３１…回転支持手段  ２３，３２…ロック  ３０…分配用スクリーン。
【図１】
0005617113.tif 000002
【図２】
0005617113.tif 000003
【図３】
0005617113.tif 000004
【図４】
0005617113.tif 000005
【図５】
0005617113.tif 000006
【図６】
0005617113.tif 000007
【図７】
0005617113.tif 000008